(57)【要約】【課題】簡便な構成で、良好なコンタクト保持力を発揮するコネクタを提供すること。【解決手段】コンタクト１１０と、ハウジング１２０と、コンタクト１１０の挿入方向とは反対方向への移動を規制する第１規制機構と、コンタクト１１０の挿入方向への移動を規制する第２規制機構と、コンタクト１１０の挿入方向を中心とした回転を規制する回転規制機構とを備え、第１規制機構は、ハウジング係合部１２８と、挿入されたコンタクト１１０を回転させることによりハウジング係合部１２８に対して係合するコンタクト係合部１１５とから構成されるコネクタ１００。【選択図】図７
2012234635.tif 000002
【特許請求の範囲】
【請求項１】
収容部を有するハウジングと、前記収容部内に外部から挿入されて前記ハウジングにより保持されるコンタクトと、前記ハウジングに収容された前記コンタクトの挿入方向とは反対方向への移動を規制する第１規制機構と、前記ハウジングに収容された前記コンタクトの前記挿入方向への移動を規制する第２規制機構と、前記ハウジングに収容された前記コンタクトの前記挿入方向を中心とした回転を規制する回転規制機構とを備え、
前記第１規制機構は、前記ハウジングに形成されたハウジング係合部と、前記コンタクトに形成され、前記ハウジングに対して挿入された前記コンタクトを回転させることにより前記ハウジング係合部に対して係合するコンタクト係合部とから構成されていることを特徴とするコネクタ。
【請求項２】
前記回転規制機構は、前記第２規制機構として機能することを特徴とする請求項１に記載のコネクタ。
【請求項３】
前記回転規制機構は、前記ハウジングに形成されたカシメ受容部と、前記コンタクトに形成され前記カシメ受容部内に受容されるカシメ部とから構成されていることを特徴とする請求項２に記載のコネクタ。
【請求項４】
前記第２規制機構は、前記カシメ受容部が形成されたフランジ受容部と、前記カシメ部が形成されたフランジ部とから構成されていることを特徴とする請求項３に記載のコネクタ。
【請求項５】
前記コンタクトは、コンタクト本体部を有し、
前記コンタクト係合部は、前記コンタクト本体部から外方に突出した突起部であり、
前記ハウジング係合部は、前記収容部に面する側面に形成され、前記挿入方向において前記ハウジングの手前側から奥側に向けて前記収容部の内側から外側に変位する段差部であることを特徴とする請求項１乃至請求項４のいずれか１項に記載のコネクタ。
【請求項６】
前記コンタクトは、コンタクト本体部を有し、
前記コンタクト係合部は、前記コンタクト本体部から外方に突出した突起部であり、
前記ハウジングは、ハウジング本体部を有し、
前記ハウジング係合部は、前記挿入方向において前記ハウジング本体部の奥側に位置する端面であることを特徴とする請求項１乃至請求項４のいずれか１項に記載のコネクタ。
【請求項７】
前記ハウジングは、前記収容部を規定する内周壁を有したハウジング本体部と、前記挿入方向に沿って前記ハウジング本体部の内周壁に凹設されたガイド溝とを有し、
前記ハウジング係合部は、前記挿入方向における前記ガイド溝の奥側端部において、前記収容部の周方向に向けて変位した位置に形成されていることを特徴とする請求項５または請求項６に記載のコネクタ。
【請求項８】
前記回転規制機構は、前記ハウジングに形成されたカシメ受容部と、前記コンタクトに形成され前記カシメ受容部内に受容されるカシメ部とから構成され、
前記挿入方向における前記ガイド溝の手前側端部が、前記カシメ受容部であることを特徴とする請求項７に記載のコネクタ。
【請求項９】
前記第２規制機構は、前記カシメ受容部が形成されたフランジ受容部と、前記カシメ部が形成されたフランジ部とから構成されていることを特徴とする請求項８に記載のコネクタ。
【発明の詳細な説明】
【技術分野】
【０００１】
本発明は、コネクタに関する。
【背景技術】
【０００２】
従来、図１２に示すように、接続端子５１０と、接続端子５１０を保持するハウジング５２０とから構成され、接続端子５１０が、外周面に形成された凹部からなる軸方向位置決め部５１５を有し、ハウジング５２０が、接続端子５１０を収容する端子収容孔５２２と、端子収容孔５２２内に出没可能に形成され軸方向位置決め部５１５に係合する可撓性の軸方向係合部５２８とを有するコネクタ５００が知られている（例えば、特許文献１参照。）。
【０００３】
この従来のコネクタ５００では、端子収容孔５２２内への接続端子５１０の挿入時に、接続端子５１０の挿入により押圧されて可撓性の軸方向係合部５２８が弾性変形及び弾性復帰することで、軸方向位置決め部５１５と軸方向係合部５２８とが係合し、ハウジング５２０に対する接続端子５１０の挿入方向手前側（図１２において右側）への移動が規制されるように構成されている。
【先行技術文献】
【特許文献】
【０００４】
【特許文献１】特開２０１０−１１４０５７号公報
【発明の概要】
【発明が解決しようとする課題】
【０００５】
ところが、従来のコネクタ５００では、接続端子５１０の挿入方向手前側への移動規制が可撓性の軸方向係合部５２８により行われるため、ハウジング５２０による接続端子５１０の保持力が弱いという問題があった。
【０００６】
そこで、本発明は、従来の問題を解決するものであって、すなわち、本発明の目的は、簡便な構成で、良好なコンタクト保持力を発揮するコネクタを提供することである。
【課題を解決するための手段】
【０００７】
本発明のコネクタは、収容部を有するハウジングと、前記収容部内に外部から挿入されて前記ハウジングにより保持されるコンタクトと、前記ハウジングに収容された前記コンタクトの挿入方向とは反対方向への移動を規制する第１規制機構と、前記ハウジングに収容された前記コンタクトの前記挿入方向への移動を規制する第２規制機構と、前記ハウジングに収容された前記コンタクトの前記挿入方向を中心とした回転を規制する回転規制機構とを備え、前記第１規制機構は、前記ハウジングに形成されたハウジング係合部と、前記コンタクトに形成され、前記ハウジングに対して挿入された前記コンタクトを回転させることにより前記ハウジング係合部に対して係合するコンタクト係合部とから構成されていることにより、前述した課題を解決したものである。
【０００８】
また、前記回転規制機構は、前記第２規制機構として機能してもよい。
【０００９】
また、前記回転規制機構は、前記ハウジングに形成されたカシメ受容部と、前記コンタクトに形成され前記カシメ受容部内に受容されるカシメ部とから構成されていてもよい。
【００１０】
また、前記第２規制機構は、前記カシメ受容部が形成されたフランジ受容部と、前記カシメ部が形成されたフランジ部とから構成されていてもよい。
【００１１】
また、前記コンタクトは、コンタクト本体部を有し、前記コンタクト係合部は、前記コンタクト本体部から外方に突出した突起部であり、前記ハウジング係合部は、前記収容部に面する側面に形成され、前記挿入方向において前記ハウジングの手前側から奥側に向けて前記収容部の内側から外側に変位する段差部であってもよい。
【００１２】
また、前記コンタクトは、コンタクト本体部を有し、前記コンタクト係合部は、前記コンタクト本体部から外方に突出した突起部であり、前記ハウジングは、ハウジング本体部を有し、前記ハウジング係合部は、前記挿入方向において前記ハウジング本体部の奥側に位置する端面であってもよい。
【００１３】
また、前記ハウジングは、前記収容部を規定する内周壁を有したハウジング本体部と、前記挿入方向に沿って前記ハウジング本体部の内周壁に凹設されたガイド溝とを有し、前記ハウジング係合部は、前記挿入方向における前記ガイド溝の奥側端部において、前記収容部の周方向に向けて変位した位置に形成されていてもよい。
【００１４】
また、前記回転規制機構は、前記ハウジングに形成されたカシメ受容部と、前記コンタクトに形成され前記カシメ受容部内に受容されるカシメ部とから構成され、前記挿入方向における前記ガイド溝の手前側端部が、前記カシメ受容部であってもよい。
【発明の効果】
【００１５】
本発明では、ハウジングに対して挿入されたコンタクトを回転させることによりハウジング係合部とコンタクト係合部とを相互に係合させるように構成され、かつコンタクトの回転を規制する回転規制機構とを有していることにより、ハウジング係合部及びコンタクト係合部に弾性や可撓性を持たせる必要がなく、ハウジング係合部とコンタクト係合部との間の強固な係合を実現し、簡便な構成で、良好なコンタクト保持力を発揮できる。
【図面の簡単な説明】
【００１６】
【図１】本発明の第１実施例であるコネクタを示す斜視図である。
【図２】コンタクト及びハウジングを断面視して示す説明図である。
【図３】コンタクトを示す平面図、及び、Ａ−Ａ線位置、Ｂ−Ｂ線位置、Ｃ−Ｃ線位置で矢印方向に視たコンタクトの断面図である。
【図４】ハウジングを示す一部断面図、及び、Ｄ−Ｄ線位置、Ｅ−Ｅ線位置、Ｆ−Ｆ線位置で矢印方向に視たハウジングの断面図である。
【図５】ハウジングに対するコンタクトの挿入途中の状態を示す説明図である。
【図６】ハウジングに対してコンタクトを挿入方向の奥側まで挿入した状態を示す説明図である。
【図７】図６の状態からハウジングに対してコンタクトを回転させた状態を示す説明図である。
【図８】本発明の第２実施例であるコネクタを構成するコンタクト及びハウジングを示す斜視図である。
【図９】ハウジングに対してコンタクトを挿入方向の奥側まで挿入した状態を示す斜視図である。
【図１０】図９の状態からハウジングに対してコンタクトを回転させた状態を示す斜視図である。
【図１１】図１０に示す状態を異なる角度から視て示すコンタクト及びハウジングの斜視図である。
【図１２】従来のコネクタを示す断面図である。
【発明を実施するための形態】
【００１７】
以下に、本発明のコネクタの複数の実施例を図面に基づいて説明する。
【００１８】
なお、以下の説明において用いられる「挿入方向」は、ハウジングに対してコンタクトを挿入する方向のことを意味し、「挿入方向手前側」は、図２乃至図１１に示す図の右側のことを意味し、「挿入方向奥側」は、図２乃至図１１に示す図の左側のことを意味し、「径方向」は、コンタクトを収容するハウジングの収容部の径方向のことを意味し、「周方向」は、コンタクトを収容するハウジングの収容部の周方向のことを意味する。
【実施例１】
【００１９】
まず、本発明の第１実施例であるコネクタ１００について、図１乃至図７に基づいて説明する。
【００２０】
コネクタ１００は、プラグコネクタとして構成された相手側コネクタ（図示しない）に嵌合されるソケットコネクタであり、図１に示すように、導電性のコンタクト１１０と、コンタクト１１０を保持する絶縁性のハウジング１２０と、コンタクト１１０及びハウジング１２０を外筐するケース１３０とを備えている。
【００２１】
コンタクト１１０は、銅合金から成る電源用のソケットコンタクトであり、図２に示すように、コンタクト本体部１１１と、ソケット部１１２と、挿入開口部１１３と、電線用開口部１１４と、コンタクト係合部１１５と、フランジ部１１６と、カシメ部１１７とを有している。
【００２２】
コンタクト本体部１１１は、図２や図３に示すように、筒状に形成され、断面円形の外周面を有している。
【００２３】
ソケット部１１２は、図２に示すように、コンタクト本体部１１１の内部に形成され、コネクタ１００と相手側コネクタ（図示しない）との嵌合時に、プラグコンタクトとして構成された相手側コンタクト（図示しない）を収容する部位であり、バネ部材（図示しない）等が収容され、このバネ部材（図示しない）が相手側コンタクト（図示しない）と接触し接続する。
【００２４】
挿入開口部１１３は、図２に示すように、ソケット部１１２の挿入方向の前側に形成され、相手側コンタクト（図示しない）を挿通させる開口部である。
【００２５】
電線用開口部１１４は、図２に示すように、ソケット部１１２の挿入方向の後側に形成され、コンタクト１１０に接続される電線（図示しない）を挿通させる開口部であり、電線（図示しない）をコンタクト１１０に半田付けやネジ等で固定して接続させる部分である。
【００２６】
コンタクト係合部１１５は、図２に示すように、コンタクト本体部１１１の挿入方向の前側端部において、コンタクト本体部１１１の外周面から径方向外側に向けて突出形成され、ハウジング１２０に対してコンタクト１１０を取り付けた状態で、ハウジング係合部１２８に対して挿入方向奥側で係合する部位である。コンタクト係合部１１５は、図３に示すように、コンタクト本体部１１１の外周の対称な位置に計２箇所形成されている。
【００２７】
フランジ部１１６は、図２に示すように、コンタクト本体部１１１の挿入方向の後側に形成されている。
【００２８】
カシメ部１１７は、図２や図３に示すように、フランジ部１１６から径方向外側に向けて突出形成されている。
【００２９】
ハウジング１２０は、絶縁性の樹脂から成形され、本実施例では、ケース１３０に一体成形されている。なお、ハウジング１２０とケース１３０とを別体に成形し、ケース１３０に対してハウジング１２０を取り付けてもよい。
【００３０】
ハウジング１２０は、図２に示すように、ハウジング本体部１２１と、収容部１２２と、コンタクト挿入開口部１２３と、ガイド突出部１２４と、開口部１２５と、ガイド溝１２６と、カシメ受容部１２６ａと、移動許容部１２７と、ハウジング係合部１２８と、フランジ受容部１２９とを有している。
【００３１】
ハウジング本体部１２１は、図２に示すように、筒状に形成されている。ハウジング本体部１２１の内周壁は、コンタクト１１０を収容する収容部１２２を規定している。収容部１２２は、断面円形に形成されている。
【００３２】
コンタクト挿入開口部１２３は、図２に示すように、収容部１２２の挿入方向手前側に形成され、コンタクト１１０を挿通させる開口部である。
【００３３】
ガイド突出部１２４は、図２に示すように、ハウジング本体部１２１の挿入方向奥側端部において、ハウジング本体部１２１の内周壁から径方向内側に向けて突出形成され、コネクタ１００と相手側コネクタ（図示しない）との嵌合時に、相手側コンタクト（図示しない）をソケット部１１２内に誘導する誘い部として機能する。ガイド突出部１２４は、図４に示すように、周方向における９０°毎に計４箇所形成されている。これら４つのガイド突出部１２４により画定された相手側コンタクト（図示しない）用の開口部１２５の開口寸法は、コンタクト１１０を挿通させることのない大きさで設定されている。
【００３４】
ガイド溝１２６は、図２に示すように、ハウジング本体部１２１の内周壁に挿入方向に沿って凹設され、ハウジング１２０に対するコンタクト１１０の取り付け時に、コンタクト係合部１１５を挿入方向に沿ってガイドする部位である。ガイド溝１２６は、図４に示すように、ハウジング本体部１２１の内周壁の対称な位置に計２箇所形成されている。このガイド溝１２６の挿入方向手前側端部は、コンタクト１１０のカシメ部１１７を受容するカシメ受容部１２６ａとして機能する。
【００３５】
移動許容部１２７は、図２に示すように、ガイド溝１２６の挿入方向奥側端部から周方向に向けて連設され、コンタクト係合部１１５をガイド溝１２６の挿入方向奥側端部から周方向に向けて移動させることを許容する部位である。各移動許容部１２７は、図４に示すように、ガイド溝１２６の挿入方向奥側端部から周方向の両側に向けて同一の角度範囲に亘って延在している。
【００３６】
ハウジング係合部１２８は、ハウジング１２０に対してコンタクト１１０を取り付けた状態で、コンタクト係合部１１５に対して係合する部位であり、コンタクト１１０が挿入方向とは反対方向へ向けて移動することを規制するものである。本実施例では、図２に示すように、前述した移動許容部１２７を形成した結果として挿入方向の手前側から奥側に向けて径方向の内側から外側に変位するハウジング本体部１２１の内周壁の段差部が、ハウジング係合部１２８として機能する。
【００３７】
フランジ受容部１２９は、図２に示すように、ハウジング本体部１２１の挿入方向手前側端部において、ハウジング本体部１２１の内周壁に凹設され、ハウジング１２０に対するコンタクト１１０の取り付け状態で、フランジ部１１６の一部を受容する部位である。
【００３８】
ケース１３０は、絶縁性の樹脂から成形され、ハウジング１２０と一体成形されている。ケース１３０は、図１に示すように、電源用のコンタクト１１０とは別途に設けられた信号コンタクト（図示しない）を収容する信号コンタクト収容部１３１を有している。
【００３９】
つぎに、ハウジング１２０に対するコンタクト１１０の取り付け方法について、図５乃至図７を用いて説明する。
【００４０】
まず、図５及び図６に示すように、コンタクト係合部１１５をガイド溝１２６内に配置しコンタクト１１０を挿入方向にガイドした状態で、コンタクト１１０をハウジング１２０に対して挿入方向奥側まで挿入する。
【００４１】
ここで、図６に示す状態では、フランジ部１１６がフランジ受容部１２９に当接し、コンタクト１１０の挿入方向の前側端部がガイド突出部１２４に当接しないように、コンタクト１１０の各部及びハウジング１２０の各部が寸法設定されている。
【００４２】
次に、図７に示すように、周方向におけるカシメ部１１７とガイド溝１２６の一部であるカシメ受容部１２６ａとの位置を一致させるように、ハウジング１２０に対してコンタクト１１０を周方向に回転させる。なお、本実施例ではガイド溝１２６の一部をカシメ受容部１２６ａとして用いたが、カシメ受容部１２６ａをガイド溝１２６とは別の位置に設けてもよい。
【００４３】
ここで、本実施例では、図７に示す状態で、コンタクト係合部１１５が移動許容部１２７の周方向側面に当接しないように、周方向における移動許容部１２７の寸法が設定されている。しかしながら、図７に示す状態で、コンタクト係合部１１５が移動許容部１２７の周方向側面に当接するように構成することで、周方向におけるカシメ部１１７の位置とカシメ受容部１２６ａの位置とが一致するように、コンタクト１１０の回転を規制してもよい。
【００４４】
最後に、カシメ部１１７を挿入方向の手前側から奥側に向けてカシメることで、カシメ部１１７がカシメ受容部１２６ａ内に受容される。即ち、カシメ部１１７を斜めに倒すようにカシメることで、コンタクト１１０が回転した際に、カシメ部１１７の側面がカシメ受容部１２６ａの側壁に当接することによって、回転止めとなる。
【００４５】
以上のように、本実施例では、ハウジング１２０に収容されたコンタクト１１０の挿入方向とは反対方向への移動を規制する第１規制機構が、ハウジング係合部１２８とコンタクト係合部１１５とから構成され、また、ハウジング１２０に収容されたコンタクト１１０の挿入方向への移動を規制する第２規制機構が、フランジ部１１６とフランジ受容部１２９とから構成され、また、ハウジング１２０に収容されたコンタクト１１０の回転を規制する回転規制機構が、カシメ部１１７とカシメ受容部１２６ａとから構成される。
【００４６】
このようにして得られた本実施例のコネクタ１００では、ハウジング１２０に対して挿入されたコンタクト１１０を回転させることによりハウジング係合部１２８とコンタクト係合部１１５とを相互に係合させるように構成されていることにより、ハウジング係合部１２８及びコンタクト係合部１１５に弾性や可撓性を持たせる必要がなく、ハウジング係合部１２８とコンタクト係合部１１５との間の強固な係合を実現し、簡便な構成で、良好なコンタクト保持力を発揮できる。
【００４７】
また、本実施例では、前述した第１規制機構を構成するハウジング係合部１２８及びコンタクト係合部１１５に限らず、第２規制機構を構成するフランジ部１１６及びフランジ受容部１２９と、回転規制機構を構成するカシメ部１１７及びカシメ受容部１２６ａとに関しても、弾性や可撓性を持たせる必要がないため、良好なコンタクト保持力を得ることができる。
【００４８】
また、本実施例のコネクタ１００では、ハウジング１２０に対するコンタクト１１０の取り付けに際し、取り付け部材等の追加部材を必要としないため、部品点数の増加を回避できる。
【００４９】
また、ハウジング１２０に対するコンタクト１１０の取り付けが、ハウジング１２０に対するコンタクト１１０の挿入、ハウジング１２０に対するコンタクト１１０の回転、及び、カシメ受容部１２６ａ内へのカシメ部１１７のカシメの３段階による簡便な手順により達成するため、ハウジング１２０に対するコンタクト１１０の取り付けを容易かつ簡便に達成できる。
【００５０】
また、本実施例では、相手側コネクタ（図示しない）との嵌合部側（開口部１２５側）
以外の箇所（コンタクト挿入開口部１２３）からハウジング１２０に対してコンタクト１１０を挿入するように構成されているため、嵌合部側（開口部１２５側）からではハウジング１２０に対してコンタクト１１０を挿入することのできない所謂クローズエントリー構造のコネクタに適用することができる。
【００５１】
また、カシメ受容部１２６ａとしてガイド溝１２６の挿入方向手前側端部を利用することにより、ハウジング１２０の構造の複雑化を回避でき、ハウジング１２０の製造負担を低減できる。
【実施例２】
【００５２】
つぎに、本発明の第２実施例であるコネクタ２００について、図８乃至図１１に基づいて説明する。なお、第２実施例の説明においては、第１実施例と構成が相違する点についてのみ説明する。
【００５３】
コネクタ２００は、ソケットコネクタとして構成された相手側コネクタ（図示しない）に嵌合されるプラグコネクタであり、図８に示すように、導電性のコンタクト２１０と、コンタクト２１０を保持する絶縁性のハウジング２２０と、コンタクト２１０及びハウジング２２０を外筐するケース（図示しない）とを備えている。なお、第２実施例におけるケース（図示しない）の具体的態様は、図１に示す第１実施例におけるケース１３０と同様である。
【００５４】
コンタクト２１０は、銅合金から成る電源用のプラグコンタクトであり、図８乃至図１１に示すように、コンタクト本体部２１１と、電線用開口部２１４と、コンタクト係合部２１５と、フランジ部２１６と、カシメ部２１７と、プラグ部２１８とを有している。
【００５５】
コンタクト本体部２１１は、図８に示すように、断面円形の外周面を有している。
【００５６】
電線用開口部２１４は、図１１に示すように、コンタクト本体部２１１の挿入方向の後側に形成され、コンタクト２１０に接続される電線（図示しない）を挿通させる開口部でコンタクト１１０の電線用開口部１１４と同一の機能を有する。
【００５７】
コンタクト係合部２１５は、図８乃至図１０に示すように、コンタクト本体部２１１の外周面から径方向外側に向けて突出形成され、ハウジング２２０に対してコンタクト２１０を取り付けた状態で、ハウジング係合部２２８に対して挿入方向奥側で係合する部位である。コンタクト係合部２１５は、コンタクト本体部１１１の外周の対称な位置に計２箇所形成されている。
【００５８】
フランジ部２１６は、図８や図１１に示すように、コンタクト本体部２１１の挿入方向の後側に形成されている。
【００５９】
カシメ部２１７は、図８や図１１に示すように、フランジ部２１６から径方向外側に向けて突出形成されている。
【００６０】
プラグ部２１８は、図８乃至図１１に示すように、コンタクト本体部２１１の挿入方向の前側端部から、挿入方向の前側に向けて更に突出形成されている。
【００６１】
ハウジング２２０は、絶縁性の樹脂から成形され、本実施例では、ケース（図示しない）と一体成形されている。なお、ハウジング２２０とケース（図示しない）とを別体に成形し、ケース（図示しない）に対してハウジング２２０を取り付けてもよい。
【００６２】
ハウジング２２０は、図８に示すように、ハウジング本体部２２１と、収容部２２２と、コンタクト挿入開口部（図示しない）と、ガイド溝２２６と、カシメ受容部（図示しない）と、ハウジング係合部２２８と、フランジ受容部（図示しない）とを有している。
【００６３】
ハウジング本体部２２１は、図８乃至図１１に示すように、筒状に形成されている。ハウジング本体部２２１の内周壁は、コンタクト２１０を収容する収容部２２２を規定している。収容部２２２は、断面円形に形成されている。
【００６４】
コンタクト挿入開口部（図示しない）は、収容部２２２の挿入方向手前側に形成され、コンタクト２１０を挿通させる開口部である。
【００６５】
ガイド溝２２６は、図８に示すように、ハウジング本体部２２１の内周壁に挿入方向に沿って凹設され、ハウジング２２０に対するコンタクト２１０の取り付け時に、コンタクト係合部２１５を挿入方向に沿ってガイドする部位である。ガイド溝２２６は、ハウジング本体部２２１の内周壁の対称な位置に計２箇所形成されている。このガイド溝２２６の挿入方向手前側端部は、コンタクト２１０のカシメ部２１７を受容するカシメ受容部（図示しない）として機能する。
【００６６】
ハウジング係合部２２８は、ハウジング２２０に対してコンタクト２１０を取り付けた状態で、コンタクト係合部２１５に対して係合する部位である。本実施例では、図８乃至図１０に示すように、ハウジング本体部２２１の挿入方向奥側端面が、ハウジング係合部２２８として機能する。
【００６７】
フランジ受容部（図示しない）は、ハウジング本体部２２１の挿入方向手前側端部において、ハウジング本体部２２１の内周壁に凹設され、ハウジング２２０に対するコンタクト２１０の取り付け状態で、フランジ部２１６の一部を受容する部位である。
【００６８】
ケース（図示しない）は、絶縁性の樹脂から成形され、ハウジング２２０と一体成形されている。ケース（図示しない）は、電源用のコンタクト２１０とは別に設けられた信号コンタクト（図示しない）を収容する信号コンタクト収容部（図示しない）を有している。
【００６９】
つぎに、ハウジング２２０に対するコンタクト２１０の取り付け方法について、図９及び図１０を用いて説明する。
【００７０】
まず、コンタクト係合部２１５をガイド溝２２６内に配置しコンタクト２１０を挿入方向にガイドした状態で、図９に示すように、コンタクト２１０をハウジング２２０に対して挿入方向奥側まで挿入する。
【００７１】
ここで、本実施例では、図９に示す状態で、フランジ部２１６がフランジ受容部（図示しない）に当接するように構成されている。
【００７２】
次に、図１０に示すように、周方向におけるカシメ部２１７及びカシメ受容部（図示しない）の位置を一致させるように、ハウジング２２０に対してコンタクト２１０を周方向に回転させる。
【００７３】
最後に、カシメ部２１７を挿入方向の後側から前側に向けてカシメることで、カシメ部２１７がカシメ受容部（図示しない）内に受容される。
【００７４】
以上のように、本実施例では、ハウジング２２０に収容されたコンタクト２１０の挿入方向とは反対方向への移動を規制する第１規制機構が、ハウジング係合部２２８とコンタクト係合部２１５とから構成され、また、ハウジング２２０に収容されたコンタクト２１０の挿入方向への移動を規制する第２規制機構が、フランジ部２１６とフランジ受容部（図示しない）とから構成され、また、ハウジング２２０に収容されたコンタクト２１０の回転を規制する回転規制機構が、カシメ部２１７とカシメ受容部（図示しない）とから構成される。
【００７５】
このようにして得られた本実施例のコネクタ２００では、ハウジング２２０に対して挿入されたコンタクト２１０を回転させることによりハウジング係合部２２８とコンタクト係合部２１５とを相互に係合させるように構成されていることにより、ハウジング係合部２２８及びコンタクト係合部２１５に弾性や可撓性を持たせる必要がなく、ハウジング係合部２２８とコンタクト係合部２１５との間の強固な係合を実現し、簡便な構成で、良好なコンタクト保持力を発揮できる。
【００７６】
また、本実施例では、前述した第１規制機構を構成するハウジング係合部２２８及びコンタクト係合部２１５に限らず、第２規制機構を構成するフランジ部２１６及びフランジ受容部（図示しない）と、回転規制機構を構成するカシメ部２１７及びカシメ受容部（図示しない）とに関しても、弾性や可撓性を持たせる必要がないため、良好なコンタクト保持力を得ることができる。
【００７７】
また、本実施例のコネクタ２００では、ハウジング２２０に対するコンタクト２１０の取り付けに際し、取り付け部材等の追加部材を必要としないため、部品点数の増加を回避できる。
【００７８】
また、ハウジング２２０に対するコンタクト２１０の取り付けが、ハウジング２２０に対するコンタクト２１０の挿入、ハウジング２２０に対するコンタクト２１０の回転、及び、カシメ受容部（図示しない）内へのカシメ部２１７のカシメの３段階による簡便な手順により達成するため、ハウジング２２０に対するコンタクト２１０の取り付けを容易かつ簡便に達成できる。
【００７９】
また、カシメ受容部（図示しない）としてガイド溝２２６の挿入方向手前側端部を利用することにより、ハウジング２２０の構造が複雑化することを回避でき、ハウジング２２０の製造負担を低減できる。
【００８０】
なお、上述した実施例では、コンタクト係合部の数量が２つであるものとして説明したが、コンタクト係合部の数量に限定はなく、１つ以上であればよい。また、ガイド溝の数量に関しても、コンタクト係合部の数量に応じて設定すればよい。
【００８１】
また、上述した実施例では、第１規制機構が突起状のコンタクト係合部と段差状のコンタクト係合部とで構成されるものとして説明したが、第１規制機構の具体的態様は、挿入方向の奥側までハウジングに挿入されたコンタクトを回転させることによりコンタクトの一部がハウジングの一部に係合するものであれば如何なるものであってもよく、例えば、コンタクト本体部の外周面に形成された周方向に延びる凹部と、ハウジング本体部の内周壁に形成された突起部とで、第１規制機構を構成してもよい。
【００８２】
また、上述した実施例では、第２規制機構がコンタクトの挿入方向の後側に形成されたフランジ部とハウジングの挿入方向手前側に形成されたフランジ受容部とで構成されるものとして説明したが、第２規制機構の具体的態様は、コンタクトの一部がハウジングの一部に係合するものであれば如何なるものであってもよく、例えば、コンタクトの挿入方向の前側端部とハウジングの一部（第１実施例におけるガイド突出部等）とで、第２規制機構を構成してもよい。
【００８３】
また、上述した実施例では、回転規制機構がコンタクトに形成されたカシメ部とハウジングに形成されたカシメ受容部とで構成されるものとして説明したが、回転規制機構の具体的態様は、ハウジングに対するコンタクトの回転を規制するものであれば如何なるものであってもよく、例えば、コンタクト及びハウジングと別体に形成された止め具を用いて、ハウジングに対するコンタクトの回転を規制してもよい。
【００８４】
また、上述した実施例では、ハウジングに形成されたガイド溝の挿入方向手前側端部がカシメ受容部として機能するものとして説明したが、ガイド溝とは別途にハウジングにカシメ受容部を形成してもよい。
【００８５】
また、上述した実施例では、ハウジング及びコンタクトの間における挿入方向へのガイド機構がハウジングに形成されたガイド溝とコンタクトに形成されたコンタクト係合部とで構成されるものとして説明したが、このガイド機構の具体的態様はこれに限定されるものではなく、例えば、挿入方向に沿ってコンタクト本体部の外周面に形成された溝と、ハウジング本体部の内周壁に形成された突起部とで、ガイド機構を構成してもよい。
【符号の説明】
【００８６】
１００、２００  ・・・  コネクタ
１１０、２１０  ・・・  コンタクト
１１１、２１１  ・・・  コンタクト本体部
１１２          ・・・  ソケット部
１１３          ・・・  挿入開口部
１１４、２１４  ・・・  電線用開口部
１１５、２１５  ・・・  コンタクト係合部
１１６、２１６  ・・・  フランジ部
１１７、２１７  ・・・  カシメ部
２１８  ・・・  プラグ部
１２０、２２０  ・・・  ハウジング
１２１、２２１  ・・・  ハウジング本体部
１２２、２２２  ・・・  収容部
１２３          ・・・  コンタクト挿入開口部
１２４          ・・・  ガイド突出部
１２５          ・・・  開口部
１２６、２２６  ・・・  ガイド溝
１２６ａ        ・・・  カシメ受容部
１２７          ・・・  移動許容部
１２８、２２８  ・・・  ハウジング係合部
１２９          ・・・  フランジ受容部
１３０          ・・・  ケース
１３１          ・・・  信号コンタクト収容部
【図１】
2012234635.tif 000003
【図２】
2012234635.tif 000004
【図３】
2012234635.tif 000005
【図４】
2012234635.tif 000006
【図５】
2012234635.tif 000007
【図６】
2012234635.tif 000008
【図７】
2012234635.tif 000009
【図８】
2012234635.tif 000010
【図９】
2012234635.tif 000011
【図１０】
2012234635.tif 000012
【図１１】
2012234635.tif 000013
【図１２】
2012234635.tif 000014